(57)【要約】【課題】半透過型ＬＣＤの駆動方法を提供する。【解決手段】本発明において、透過型ＬＣＤは、マトリクス状に配列され、反射セルと透過セルから構成される複数の画素を備える。反射セルと透過セルは、異なるトランジスタにより駆動される。本発明の方法において、第一スイッチ装置は全てオンで、第一駆動電圧が反射セルに、順に印加され、その後、第二スイッチ装置は全てオンで、第二駆動電圧が透過セルに、順に印加される。あるフレーム期間において、第一駆動電圧は、反射セルに順に印加され、第二駆動電圧は透過セルに、順に、印加される。【選択図】図１１
2004310005.tif 000002
【特許請求の範囲】
【請求項１】
マトリクス状に配列され、第一ストレージコンデンサと第一アクティブ装置とを備える反射セルと、第二ストレージコンデンサと第二アクティブ装置とを備える透過セルから構成される、複数の画素を備える半透過型液晶ディスプレイの駆動方法であって、
前記画素の前記反射セルと第一駆動電圧間に結合される第一スイッチ装置を提供する工程と、
前記画素の前記透過セルと第二駆動電圧間に結合される第二スイッチ装置を提供する工程と、
前記第一スイッチ装置を全てオンにし、前記反射セルを順にスキャンして、前記第一駆動電圧を前記反射セルに、順に印加する工程と、
前記第二スイッチ装置を全てオンにし、前記透過セルを順にスキャンして、前記第二駆動電圧を前記透過セルに、順に印加する工程と、
からなり、あるフレーム期間において、前記第一駆動電圧は、前記反射セルに、順に印加され、前記第二駆動電圧は、前記透過セルに、順に、印加されることを特徴とする方法。
【請求項２】
前記第二スイッチ装置がオフの時、前記第一スイッチ装置はオンで、前記第二スイッチ装置がオンの時、前記第一スイッチ装置は、オフであることを特徴とする請求項１記載の方法。
【請求項３】
更に、前記フレーム期間前に画素をスキャンすることなく、前記第一スイッチ装置と前記第二スイッチ装置を全てオンにする工程を含むことを特徴とする請求項１記載の方法。
【請求項４】
マトリクス状に配列され、第一ストレージコンデンサと第一アクティブ装置とを備える反射セルと、第二ストレージコンデンサと第二アクティブ装置とを備える透過セルから構成される、複数の画素を備える半透過型液晶ディスプレイの駆動方法であって、
前記画素の前記反射セルと第一駆動電圧間に結合される第一スイッチ装置を提供する工程と、
前記画素の前記透過セルと第二駆動電圧間に結合される第二スイッチ装置を提供する工程と、
あるフレーム期間において、前記画素の各列を順にスキャンする工程と、
前記各画素の列がスキャンされる時、前記第一スイッチ装置と前記第二スイッチ装置を異なる時間でオンにし、前記第一駆動電圧を前記反射セルに、前記第二駆動電圧を前記透過セルに、順に印加する工程と、
からなることを特徴とする方法。
【請求項５】
前記第一スイッチ装置と前記第二スイッチ装置がオン、オフにそれぞれなる時、前記反射セルはオンになることを特徴とする請求項４記載の方法。
【請求項６】
前記第一スイッチ装置と前記第二スイッチ装置がオフ、オンにそれぞれなる時、前記透過セルはオンになることを特徴とする請求項４記載の方法。
【請求項７】
更に、前記フレーム期間前に画素をスキャンすることなく、前記第一スイッチ装置と前記第二スイッチ装置全てをオンにする工程を含むことを特徴とする請求項６記載の方法。
【請求項８】
マトリクス状に配列され、第一ストレージコンデンサと第一アクティブ装置とを備える反射セルと、第二ストレージコンデンサと第二アクティブ装置とを備える透過セルから構成される、複数の画素を備える半透過型液晶ディスプレイの駆動方法であって、
前記画素の前記反射セルと第一駆動電圧間に結合される第一スイッチ装置を提供する工程と、
前記画素の前記透過セルと第二駆動電圧間に結合される第二スイッチ装置を提供する工程と、
あるフレーム期間において、前記画素の各列を順にスキャンする工程と、
各画素の列がスキャンされる時、前記第一スイッチ装置と前記第二スイッチ装置を同時にオンにし、前記第一駆動電圧を前記反射セルに、前記第二駆動電圧を前記透過セルに同時に印加する工程と、
からなることを特徴とする方法。
【請求項９】
マトリクス状に配列され、第一ストレージコンデンサと第一アクティブ装置とを備える反射セルと、第二ストレージコンデンサと第二アクティブ装置とを備える透過セルから構成される、複数の画素を備える半透過型液晶ディスプレイの駆動方法であって、
前記画素の前記反射セルと第一駆動電圧間に結合される第一スイッチ装置を提供する工程と、
前記画素の前記透過セルと第二駆動電圧間に結合される第二スイッチ装置を提供する工程と、
あるフレーム期間において、前記第一スイッチ装置をオンにして、前記第一駆動電圧を前記画素の前記反射セルに印加し、前記画素の各列を同時にスキャンする工程と、
からなることを特徴とする方法。
【請求項１０】
マトリクス状に配列され、第一ストレージコンデンサと第一アクティブ装置とを備える反射セルと、第二ストレージコンデンサと第二アクティブ装置とを備える透過セルから構成される、複数の画素を備える半透過型液晶ディスプレイの駆動方法であって、
前記画素の前記反射セルと第一駆動電圧間に結合される第一スイッチ装置を提供する工程と、
前記画素の前記透過セルと第二駆動電圧間に結合される第二スイッチ装置を提供する工程と、
あるフレーム期間において、前記第二スイッチ装置をオンにして、前記第二駆動電圧を前記画素の前記透過セルに印加し、前記画素の各列を同時にスキャンする工程と、
からなることを特徴とする方法。
【発明の詳細な説明】
【技術分野】
【０００１】
本発明は、ＬＣＤ駆動方法に関するものであって、特に、半透過型液晶ディスプレイ（ｔｒａｎｓｆｌｅｃｔｉｖｅ  ｌｉｑｕｉｄ  ｃｒｙｓｔａｌ  ｄｉｓｐｌａｙ）の駆動方法に関するものである。
【背景技術】
【０００２】
公知の半透過型液晶ディスプレイの画素は、反射セル（ｒｅｆｌｅｃｔｉｖｅ  ｃｅｌｌ）と透過セル（ｔｒａｎｓｍｉｓｓｉｏｎ  ｃｅｌｌ）とを備える。不可避的に、反射セルは透過セルの約二倍近くの位相差（ｐｈａｓｅ  ｄｉｆｆｅｒｅｎｃｅ）を有する。公知の方法では、反射セルのセルギャップを減少させて、二つの光学位相差を近づけるようにする。図１は公知の透過型ＬＣＤの画素を示す図である。画素は、反射セル１０と透過セル２０とを含む。反射セル１０は、反射膜１２とセルギャップｄ１を有する。透過セル２０はセルギャップｄ２を有する。
【０００３】
図２は等価回路を示す図である。反射セル１０と透過セル２０は、共に、ストレージコンデンサＣｓと薄膜トランジスタＴ１に結合されている。よって、駆動電圧のみが供給される。反転防止策として、セルギャップｄ１とｄ２を同じ位相差になるよう調整する。セルギャップｄ１とｄ２は最適化されて、ＬＣＤの操作モードに符合させなければならず、調整が非常に困難である。
【発明の開示】
【発明が解決しようとする課題】
【０００４】
本発明は、半透過型液晶ディスプレイの効果的な駆動方法を提供し、セルギャップを調整することなく、最良の反射性と透過性を達成することを目的とする。
【課題を解決するための手段】
【０００５】
上述の目的を達成するため、本発明は、以下の工程からなる半透過型ＬＣＤの駆動方法を提供する。半透過型ＬＣＤは、マトリクス状に配列され、反射セルと透過セルから構成される複数の画素を備える。反射セルは第一ストレージコンデンサと第一アクティブ装置を備え、透過セルは第二ストレージコンデンサと第二アクティブ装置を備える。本発明の駆動方法において、第一スイッチ装置は、画素の反射セルと第一駆動電圧間に結合される。第二スイッチ装置は、画素の透過セルと第二駆動電圧間に結合される。第一スイッチ装置は全てオンで、第一駆動電圧が反射セルに、順に印加され、その後、第二スイッチ装置は全てオンで、第二駆動電圧が透過セルに、順に印加される。あるフレーム期間において、第一駆動電圧は、反射セルに順に印加され、第二駆動電圧は透過セルに、順に、印加される。
【０００６】
本発明は、以下の工程からなる半透過型ＬＣＤのもう一つの駆動方法を提供する。第一スイッチ装置は、画素の反射セルと第一駆動電圧間に結合される。第二スイッチ装置は、画素の透過セルと第二駆動電圧間に結合される。本発明において、画素の列は、あるフレーム期間で、順にスキャンされる。各画素の列がスキャンされる時、第一スイッチ装置と第二スイッチ装置は、異なる時間でオンになり、第一駆動電圧が反射セルに、第二駆動電圧が透過セルに、それぞれ、印加される。
【発明の効果】
【０００７】
半透過型液晶ディスプレイを効果的に駆動し、セルギャップを調整することなく、最良の反射性と透過性を得ることができる。
【発明を実施するための最良の形態】
【０００８】
上述した本発明の目的、特徴、および長所をいっそう明瞭にするため、以下に本発明の好ましい実施の形態をあげ、図を参照にしながらさらに詳しく説明する。
【０００９】
図３は、本発明の透過型ＬＣＤの画素構造を示す図である。画素は反射セル１０と透過セル２０とを含む。反射セル１０は、反射膜１２とセルギャップｄ１を有する。透過セル２０はセルギャップｄ２を有する。図４は、画素の等価回路を示す図である。反射セル１０において、反射セル１０の等価コンデンサはＣｌｃ１、ストレージコンデンサはＣｓ１、薄膜トランジスタＴＦＴはＴ１で示される。透過セル２０において、透過セル２０の等価コンデンサはＣｌｃ２、ストレージコンデンサはＣｓ２、薄膜トランジスタＴＦＴはＴ２で示される。薄膜トランジスタＴ１とＴ２は、反射膜１２下に設置することができる。
【００１０】
透過セル２０が四分の一波長の位相差で操作する時、反射セル１０の反射率対駆動電圧ＶＲを示す反射ガンマ曲線ＲＶ１は、図５（ａ）で示され、反射セル１０の位相差が、透過セル２０の約二倍であるため、反射率の最大値は、二分の一波長位相差において生じる。透過セル２０の透過率対駆動電圧ＶＴの透過ガンマ曲線ＲＶ２は、図５（ｂ）で示されるように、透過率の最大値は四分の一の波長位相差において生じる。
【００１１】
透過セル２０が二分の一波長の位相差で操作する時、反射セル１０の反射率対駆動電圧ＶＲを示す反射ガンマ曲線ＲＶ２は、図６（ａ）で示されるように、反射セル１０の位相差が、透過セル２０の約二倍であるため、反射率の最大値は、二分の一波長位相差において生じ、位相差が二分の一の波長を超過した後、反射率は逓減し始める。透過セル２０の透過率対駆動電圧ＶＴの透過ガンマ曲線ＴＶ２は、図６（ｂ）で示されるように、透過率の最大値は二分の一の波長位相差において生じる。
【００１２】
本発明の画素は二つの薄膜トランジスタＴ１とＴ２、二つのストレージコンデンサＣｓ１、Ｃｓ２を備えて、駆動電圧ＶＲとＶＴをそれぞれ制御し、反射セル１０と透過セル２０は、セルギャップｄ１およびｄ２を調整しなくても、同じ位相差を得ることができる。反射セル１０の駆動電圧ＶＲは、四分の一の波長のガンマ曲線ＲＶ１、或いは、二分の一の波長のガンマ曲線ＲＶ２により駆動される。透過セル２０の駆動電圧ＶＴは、四分の一の波長のガンマ曲線ＴＶ１、或いは、二分の一の波長のガンマ曲線ＴＶ２により駆動される。反射セル１０と透過セル２０は、それぞれ異なるガンマ曲線により補正されて、液晶の反射、透過特性の要求を満たす。
【００１３】
図７は、本発明のＬＣＤを示す図である。ＬＣＤは、ＴＦＴアレイ３００、イメージ信号駆動回路１００、およびスキャン信号駆動回路２００、からなる。図８は、図７中の画素Ｐ２２を示す図である。その他の画素も同じ構造を有する。画素Ｐ２２は、反射セル１０、透過セル２０、を備えるので、二つの薄膜トランジスタと、二つのストレージコンデンサが必要である。
【００１４】
薄膜トランジスタＴ１は、列Ｇ２Ａと行Ｄ２Ａの交差点に設置される。薄膜トランジスタＴ１のゲートは列Ｇ２Ａに結合され、ドレインはＤ２Ａに結合され、ソースはＣｌｃ１とストレージコンデンサＣｓ１に結合される。薄膜トランジスタＴ２は、列Ｇ２Ａと行Ｄ２Ｂの交差点に設置される。薄膜トランジスタＴ２のゲートは列Ｇ２Ａに結合され、ドレインはＤ２Ｂに結合され、ソースはＣｌｃ２とストレージコンデンサＣｓ２に結合される。薄膜トランジスタアレイ３００の全画素は、同じ配線構造を備える。
【００１５】
スキャン信号駆動回路２００は、列Ｇ１Ａ〜Ｇ４Ａにより、薄膜トランジスタＴ１、或いはＴ２のゲートに送られるスキャン信号を生成する。イメージ信号駆動回路１００は、行Ｄ１Ａ〜Ｄ４Ａにより、反射セル１０に送られるスキャン信号に対応するイメージ信号を生成し、スイッチ装置ＳＤ１と薄膜トランジスタアレイ３００を転換する。また、イメージ信号駆動回路１００は、行Ｄ１Ｂ〜Ｄ４Ｂにより、伝送セル２０に送られるスキャン信号に対応するイメージ信号を生成し、スイッチ装置ＳＤ２と薄膜トランジスタアレイ３００を転換する。
【実施例】
【００１６】
第一実施例：
図９は、第一実施例の全波形を示す図である。図９で示されるように、本具体例において、あるフレーム期間ｆｄ１で、反射セル１０のみが、順にスキャンされる。図９において、フレーム期間ｆｄ１は、期間ＴＡ１、ＴＡ２、ＴＡ３、ＴＡ４に分割される。列Ｇ１Ａ〜Ｇ４Ａがアクティブ状態の時、イメージ信号駆動回路１００は、行Ｄ１Ａ〜Ｄ４Ａとスイッチ装置ＳＤ１により、期間ＴＡ１、ＴＡ２、ＴＡ３、ＴＡ４で、イメージ信号（第一駆動電圧）を、反射セル１０のコンデンサＣｌｃ１およびＣｓ１に送る。フレーム期間ｆｄ１において、全スイッチ装置ＳＤ１はオンになり、全スイッチ装置ＳＤ２はオフになる。
【００１７】
第二具体例：
図１０は、第二具体例の全波形を示す図である。図１０で示されるように、本具体例において、あるフレーム期間ｆｄ１で、透過セル２０のみが、順にスキャンされる。図１０において、フレーム期間ｆｄ１は、期間ＴＡ１、ＴＡ２、ＴＡ３、ＴＡ４に分割される。列Ｇ１Ａ〜Ｇ４Ａがアクティブ状態の時、イメージ信号駆動回路１００は、行Ｄ１Ｂ〜Ｄ４Ｂとスイッチ装置ＳＤ２により、期間ＴＡ１、ＴＡ２、ＴＡ３、ＴＡ４で、イメージ信号（第二駆動電圧）を、透過セル２０のコンデンサＣｌｃ２およびＣｓ２に送る。フレーム期間ｆｄ１において、全スイッチ装置ＳＤ２はオンになり、全スイッチ装置ＳＤ１はオフになる。
【００１８】
第一および第二具体例において、あるフレーム期間中、各画素の反射セル、或いは透過セルを使用することにより表示して、消耗電力を減少する。
【００１９】
第三具体例：
図１１は、第三具体例の全波形を示す図である。図１１で示されるように、あるフレーム期間ｆｄ１で、第一スイッチ装置ＳＤ１がオンの時、反射セル１０は順にオンになり、第二スイッチ装置ＳＤ２がオンの時、透過セル２０が、順にオンになる。図１１において、期間Ｔ１は、期間ＴＡ１〜ＴＡ４に分割され、期間Ｔ２は、期間ＴＢ１〜ＴＢ４に分割され、フレーム期間ｆｄ１は、期間Ｔ１とＴ２を含む。
【００２０】
列Ｇ１Ａ〜Ｇ４Ａがアクティブ状態の時、イメージ信号駆動回路１００は、行Ｄ１Ａ〜Ｄ４Ａとスイッチ装置ＳＤ１により、期間ＴＡ１、ＴＡ２、ＴＡ３、ＴＡ４で、イメージ信号（第一駆動電圧）をコンデンサＣｌｃ１およびＣｓ１に送る。列Ｇ１Ａ〜Ｇ４Ａがアクティブ状態の時、イメージ信号駆動回路１００は、行Ｄ１Ｂ〜Ｄ４Ｂとスイッチ装置ＳＤ２により、期間ＴＢ１、ＴＢ２、ＴＢ３、ＴＢ４で、イメージ信号（第二駆動電圧）を、透過セル２０のコンデンサＣｌｃ２およびＣｓ２に送る。フレーム期間Ｔ１において、全スイッチ装置ＳＤ１はオンになり、全スイッチ装置ＳＤ２はオフになる。期間ＴＡ１〜ＴＡ４（Ｔ１）で、全スイッチ装置ＳＤ１はオンになり、全スイッチ装置ＳＤ２はオフになる。期間ＴＢ１〜ＴＢ４（Ｔ２）で、全スイッチ装置ＳＤ２はオンになり、全スイッチ装置ＳＤ１はオフになる。
【００２１】
第四具体例：
図１２は、第四具体例の全波形を示す図である。図１２で示されるように、あるフレーム期間ｆｄ１で、第一スイッチ装置ＳＤ１がオンの時、反射セル１０は順にオンになり、第二スイッチ装置ＳＤ２がオンの時、透過セル２０が、順にオンになる。この場合、各フレーム期間ｆｄ１前に電荷共有期間（charge sharing period）ＴＳが生じ、期間ＴＳは外部信号Ｖｓｙｎｃに基づく。各電荷共有期間ＴＳにおいて、全スイッチ装置ＳＤ１とＳＤ２は、列Ｇ１Ａ〜Ｇ４Ａをスキャンしなくてもオンになる。
【００２２】
列Ｇ１Ａ〜Ｇ４Ａがアクティブ状態の時、イメージ信号駆動回路１００は、行Ｄ１Ａ〜Ｄ４Ａとスイッチ装置ＳＤ１により、期間ＴＡ１、ＴＡ２、ＴＡ３、ＴＡ４で、イメージ信号（第一駆動電圧）をコンデンサＣｌｃ１およびＣｓ１に送る。列Ｇ１Ａ〜Ｇ４Ａがアクティブ状態の時、イメージ信号駆動回路１００は、行Ｄ１Ｂ〜Ｄ４Ｂとスイッチ装置ＳＤ２により、期間ＴＢ１、ＴＢ２、ＴＢ３、ＴＢ４で、イメージ信号（第二駆動電圧）を、透過セル２０のコンデンサＣｌｃ２およびＣｓ２に送る。フレーム期間Ｔ１において、全スイッチ装置ＳＤ１はオンになり、全スイッチ装置ＳＤ２はオフになる。期間ＴＡ１〜ＴＡ４（Ｔ１）で、全スイッチ装置ＳＤ１はオンになり、全スイッチ装置ＳＤ２はオフになる。期間ＴＢ１〜ＴＢ４（Ｔ２）で、全スイッチ装置ＳＤ２はオンになり、全スイッチ装置ＳＤ１はオフになる。
【００２３】
各フレーム期間ｆｄ１前の期間ＴＳにおいて、全スイッチ装置ＳＤ１とＳＤ２は、列Ｇ１Ａ〜Ｇ４Ａをスキャンしなくてもオンになる。よって、電荷共有（charge sharing）が、反射セル１０と透過セル２０のコンデンサＣｓ１とＣｓ２間で生じ、電荷を共有する。
【００２４】
第五具体例：
図１３は、第五具体例の全波形を示す図である。本具体例の駆動方法は、第四具体例と同様である。この場合、フレーム期間の前に、電荷共有期間ＴＳが加えられ、期間ＴＳは外部信号Ｖｓｙｎｃに基づく。各電荷共有期間ＴＳにおいて、列Ｇ１Ａ〜Ｇ４Ａをスキャンしなくても、全スイッチ装置ＳＤ１とＳＤ２がオンになり、反射セル１０と透過セル２０のコンデンサＣｓ１とＣｓ２を共有する。図１３において、フレーム期間ｆｄ１とｆｄ３の前に、電荷共有期間ＴＳが加えられる。
【００２５】
第六具体例：
図１４は、第六具体例の全波形を示す図である。図１４で示されるように、フレーム期間ｆｄ１において、全スイッチ装置ＳＤ１は、期間ＴＡ１、ＴＡ２、ＴＡ３、ＴＡ４で、オンになり、全スイッチ装置ＳＤ２は、期間ＴＢ１、ＴＢ２、ＴＢ３、ＴＢ４でオンになる。列は、連続期間Ｇ１Ａ〜Ｇ４Ａで起動される。列Ｇ１Ａは期間ＴＡ１およびＴＢ１で、起動される。列Ｇ２Ａは期間ＴＡ２およびＴＢ２で、起動される。列Ｇ３Ａは期間ＴＡ３およびＴＢ３で、起動される。列Ｇ４Ａは期間ＴＡ４およびＴＢ４で、起動される。
【００２６】
期間ＴＡ１、ＴＡ２、ＴＡ３、ＴＡ４において、列Ｇ１Ａ〜Ｇ４Ａがスキャンされる時、イメージ信号駆動回路１００は、行Ｄ１Ａ〜Ｄ４Ａにより、イメージ信号（第一駆動電圧）を、反射セル１０のコンデンサＣｌｃ１およびＣｓ１に送る。期間ＴＢ１、ＴＢ２、ＴＢ３、ＴＢ４において、列Ｇ１Ａ〜Ｇ４Ａがスキャンされる時、イメージ信号駆動回路１００は、行Ｄ２Ａ〜Ｄ４Ａにより、イメージ信号（第二駆動電圧）を、透過セル２０のコンデンサＣｌｃ２およびＣｓ２に送る。つまり、画素の列は、あるフレーム期間で順にスキャンされ、各画素の列がスキャンされる時、反射セルと透過セルは交互にオンになる。
【００２７】
第七具体例：
図１５は、第七具体例の全波形を示す図である。図１５で示されるように、フレーム期間ｆｄ１において、画素の列は、あるフレーム期間で順にスキャンされ、各画素がスキャンされる時、反射セルと透過セルはオンになる。更に、フレーム期間ｆｄ１の前に、電荷共有期間ＴＳが生じ、反射セル１０と透過セル２０間の電荷を共有し、期間ＴＳは外部信号Ｖｓｙｎｃに基づく。各電荷共有期間ＴＳにおいて、列Ｇ１Ａ〜Ｇ４Ａをスキャンしなくても、全スイッチ装置ＳＤ１とＳＤ２がオンになる。
【００２８】
第八具体例：
図１６は、第八具体例の全波形を示す図である。図１６で示されるように、フレーム期間ｆｄ１において、全スイッチ装置ＳＤ１は、全期間ｆｄ１で、オンになり、全スイッチ装置ＳＤ２は、期間ＴＡ１、ＴＡ２、ＴＡ３、ＴＡ４でオンになる。列は、連続期間Ｇ１Ａ〜Ｇ４Ａで起動される。
【００２９】
期間ＴＡ１、ＴＡ２、ＴＡ３、ＴＡ４において、列Ｇ１Ａ〜Ｇ４Ａがスキャンされる時、イメージ信号駆動回路１００は、行Ｄ１Ａ〜Ｄ４Ａにより、イメージ信号（第一駆動電圧）を反射セル１０のコンデンサＣｌｃ１およびＣｓ１に送り、行Ｄ１Ｂ〜Ｄ４Ｂにより、イメージ信号（第二駆動電圧）を、透過セル２０のコンデンサＣｌｃ２およびＣｓ２に送る。期間ＴＢ１、ＴＢ２、ＴＢ３、ＴＢ４において、列Ｇ１Ａ〜Ｇ４Ａがスキャンされる時、イメージ信号駆動回路１００は、行Ｄ１Ａ〜Ｄ４Ａにより、イメージ信号（第一駆動電圧）だけを、反射セル１０のコンデンサＣｌｃ１およびＣｓ１に送る。
【００３０】
よって、本発明は、半透過型液晶ディスプレイを効果的に駆動し、セルギャップを調整することなく、最良の反射性と透過性を得ることができる。
【００３１】
本発明では好ましい実施例を前述の通り開示したが、これらは決して本発明に限定するものではなく、当該技術を熟知する者なら誰でも、本発明の精神と領域を脱しない範囲内で各種の変更や変形を加えることができ、従って本発明の保護範囲は、特許請求の範囲で指定した内容を基準とする。
【図面の簡単な説明】
【００３２】
【図１】公知のＬＣＤの画素構造を示す断面図である。
【図２】公知のＬＣＤの画素構造の等価回路である。
【図３】本発明の画素構造を示す断面図である。
【図４】本発明の画素構造の等価回路である。
【図５】（ａ）は反射セルの四分の一波長位相差である反射ガンマ曲線ＲＶ１を示す図、（ｂ）は透過セルの四分の一波長位相差である透過ガンマ曲線ＴＶ１を示す図である。
【図６】（ａ）は反射セルの二分の一波長位相差である反射ガンマ曲線ＲＶ１を示す図、（ｂ）は透過セルの二分の一波長位相差である透過ガンマ曲線ＴＶ１を示す図である。
【図７】本発明のＬＣＤを示す図である。
【図８】図４Ａの画素２２を示す図である。
【図９】第一具体例の全波長を示す図である。
【図１０】第二具体例の全波長を示す図である。
【図１１】第三具体例の全波長を示す図である。
【図１２】第四具体例の全波長を示す図である。
【図１３】第五具体例の全波長を示す図である。
【図１４】第六具体例の全波長を示す図である。
【図１５】第七具体例の全波長を示す図である。
【図１６】第八具体例の全波長を示す図である。
【符号の説明】
【００３３】
１０  反射セル
１２  反射膜
２０  透過セル
１００  イメージ信号駆動回路
２００  スキャン信号駆動回路
Ｃｓ１、Ｃｓ２  ストレージコンデンサ
Ｃｌｃ１  反射セルの等価コンデンサ
Ｃｌｃ２  透過セルの等価コンデンサ
ｄ１、ｄ２  セルギャップ
Ｔ１、Ｔ２  薄膜トランジスタＴＦＴ
Ｐ２２  画素
ＳＤ１、ＳＤ２  スイッチ装置
３００  ＴＦＴアレイ
Ｄ１Ａ、Ｄ２Ａ、Ｄ３Ａ、Ｄ４Ａ、
Ｄ１Ｂ、Ｄ２Ｂ、Ｄ３Ｂ、Ｄ４Ｂ  行電極
Ｇ１Ａ、Ｇ２Ａ、Ｇ３Ａ、Ｇ４Ａ  列電極
【図１】
2004310005.tif 000003
【図２】
2004310005.tif 000004
【図３】
2004310005.tif 000005
【図４】
2004310005.tif 000006
【図５】
2004310005.tif 000007
【図６】
2004310005.tif 000008
【図７】
2004310005.tif 000009
【図８】
2004310005.tif 000010
【図９】
2004310005.tif 000011
【図１０】
2004310005.tif 000012
【図１１】
2004310005.tif 000013
【図１２】
2004310005.tif 000014
【図１３】
2004310005.tif 000015
【図１４】
2004310005.tif 000016
【図１５】
2004310005.tif 000017
【図１６】
2004310005.tif 000018